(57)【要約】【課題】載置面に沿った摺動移動に適した包装用箱を提供すること。【解決手段】包装用箱は、天面、底面、及び複数の側面を具備する。前記複数の側面のうち少なくとも１つの側面は、前記底面が載置される載置面に沿って当該包装用箱が摺動移動される際に用いられる持ち手部を有する。前記持ち手部は、所定形状の切り込みと、当該切り込みの両端を接続する折り曲げ線と、当該切り込みにより当該折り曲げ線で内側へ折り曲げ可能なフラップ部とを有する。当該折り曲げ線は前記摺動移動方向に対して垂直になるように形成される。【選択図】図１
0003234344.tif 000002
【実用新案登録請求の範囲】
【請求項１】
天面、底面、及び複数の側面を具備する包装用箱であって、
前記複数の側面のうち少なくとも１つの側面は、前記底面が載置される載置面に沿って当該包装用箱が摺動移動される際に用いられる持ち手部を有し、
前記持ち手部は、所定形状の切り込みと、当該切り込みの両端を接続する折り曲げ線と、当該切り込みにより当該折り曲げ線で内側へ折り曲げ可能なフラップ部とを有し、当該折り曲げ線は前記摺動移動方向に対して垂直になるように形成される
包装用箱。
【請求項２】
請求項１に記載の包装用箱であって、
前記持ち手部は、一対の前記側面の対向する位置に形成される
包装用箱。
【請求項３】
請求項２に記載の包装用箱であって、
前記持ち手部は、前記一対の側面の、前記摺動移動方向における一端側と他端側にそれぞれ一対ずつ設けられる
包装用箱。
【請求項４】
請求項１乃至３のいずれかに記載の包装用箱であって、
少なくとも前記天面部分を開放し当該包装用箱に収容された収容物を露出させるための破断用のミシン目を有し、
前記持ち手部は、前記側面のうち前記ミシン目により開放されない位置に設けられる
包装用箱。
【請求項５】
請求項１乃至４のいずれかに記載の包装用箱であって、
前記持ち手部は、当該包装用箱に収容された複数の所定形状の収容物と当該包装用箱との間に前記フラップ部を折り曲げるスペースが生じるような位置に形成される
包装用箱。
【考案の詳細な説明】
【技術分野】
【０００１】
本考案は、段ボール板から組み立てられ、例えば缶飲料やボトル飲料等の容器を収容・包装する包装用箱に関する。
【背景技術】
【０００２】
従来から、段ボール製の包装用箱においては、商品等の内容物が収容された状態で箱を運搬する際に用いられる持ち手が形成されたものが存在する。
【０００３】
例えば、特許文献１には、上部が開口になっている直方体状の包装箱の一対の側面の中央に、切り込みと折り曲げ線によって構成される長丸状の持ち手部分がそれぞれ形成されることが開示されている（段落００２４、図１乃至３等）。
【先行技術文献】
【特許文献】
【０００４】
【特許文献１】特開２００２−１７９０５７号公報
【考案の概要】
【考案が解決しようとする課題】
【０００５】
しかしながら、上記特許文献１に記載のような従来の持ち手は、商品等を収容した包装用箱を、天面を開口させた状態で持ち上げるのには適しているが、当該包装用箱を床やテーブル（作業台）等の載置面に載置した状態で載置面に沿って摺動させて移動させるのには適していない。
【０００６】
以上のような事情に鑑み、本考案の目的は、載置面に沿った摺動移動に適した包装用箱を提供することにある。
【課題を解決するための手段】
【０００７】
上記目的を達成するため、本考案の一形態に係る包装用箱は、天面、底面、及び複数の側面を具備する。前記複数の側面のうち少なくとも１つの側面は、前記底面が載置される載置面に沿って当該包装用箱が摺動移動される際に用いられる持ち手部を有する。前記持ち手部は、所定形状の切り込みと、当該切り込みの両端を接続する折り曲げ線と、当該切り込みにより当該折り曲げ線で内側へ折り曲げ可能なフラップ部とを有する。当該折り曲げ線は前記摺動移動方向に対して垂直になるように形成される。
【０００８】
この構成により、持ち手部の折り曲げ線が摺動移動方向に対して垂直になるように形成することで、折り曲げ線部分に摺動移動方向への力を容易に加えることができ、作業台や床等の載置面に沿った摺動移動に適した包装用箱を提供することができる。
【０００９】
前記持ち手部は、一対の前記側面の対向する位置に形成されてもよい。
【００１０】
これにより作業者は、両手で各持ち手部に指を掛けて摺動移動させることでより効率よく包装用箱を移動させることができる。
【００１１】
（一対の側面）
前記持ち手部は、前記一対の側面の、前記摺動移動方向における一端側と他端側にそれぞれ一対ずつ設けられてもよい。
【００１２】
これにより作業者は、載置されている包装用箱を回り込んだり回転させたりする必要なく、自身に近い方の持ち手部を適宜用いることで、容易に移動させることができる。
【００１３】
少なくとも前記天面部分を開放し当該包装用箱に収容された収容物を露出させるための破断用のミシン目を有してもよい。この場合前記持ち手部は前記側面のうち前記ミシン目により開放されない位置に設けられてもよい。
【００１４】
これにより、ミシン目で天面部分を開放し収容物を露出させた状態でも持ち手部を使用可能とすることができる。
【００１５】
前記持ち手部は、当該包装用箱に収容された複数の所定形状の収容物と当該包装用箱との間に前記フラップ部を折り曲げるスペースが生じるような位置に形成されてもよい。
【００１６】
これにより、フラップ部を確実に包装用箱内部に略９０度折り曲げて摺動移動時に作業者の指をフラップ部に当接させて摺動方向の力をかけることができる。
【考案の効果】
【００１７】
本考案によれば、載置面に沿った摺動移動に適した包装用箱を提供することができる。しかしながら、本効果は本考案を限定するものではない。
【図面の簡単な説明】
【００１８】
【図１】本考案の一実施形態に係る包装用箱の外観を示す斜視図である。
【図２】本考案の一実施形態に係る包装用箱の展開図である。
【図３】本考案の一実施形態に係る包装用箱の持ち手部のフラップ部を内側に折り曲げる様子を示した図である。
【図４】本考案の一実施形態に係る包装用箱を、持ち手部を用いて摺動移動する様子を示した図である。
【図５】本考案の一実施形態に係る包装用箱を、持ち手部を用いて持ち上げる様子を示した図である。
【図６】本考案の他の実施形態に係る包装用箱の外観を示す斜視図である。
【図７】本考案の他の実施形態に係る包装用箱の包装用箱を、持ち手部を用いて摺動移動する様子を示した図である。
【考案を実施するための形態】
【００１９】
以下、図面を参照しながら、本考案の実施形態を説明する。尚、本明細書において、「同じ」、「同一」及び「等しい」という意味には、本考案が属する技術分野で一般的に許容される誤差の範囲が含まれ得る。
【００２０】
［包装用箱及び持ち手の構成］
図１は、本考案の一実施形態に係る包装用箱の外観を示す斜視図である。また図２は、当該包装用箱の展開図（組立前のブランクの図）である。
【００２１】
両図に示すように、包装用箱１００は、段ボール板から組み立てられるものであり、天面１、底面２、一対の側面３（３ａ，３ｂ）、及びそれら天面１、底面２及び側面３に接続されたフラップ４を有する。当該包装用箱１００には、例えば飲料缶等の収容物が収容される。
【００２２】
図２に示すように、側面３ａの底面２とは反対側の長辺には糊代部６が延設されており、組立時には当該糊代部６が天面１の側面３ｂとは反対側の端部に接着される。
【００２３】
一対の側面３の、長手方向（図１のＸ方向）における一端側と他端側のそれぞれの対向する位置には、持ち手部５が一対ずつ設けられている。
【００２４】
当該持ち手部５は、当該包装用箱１００（の底面２）が載置される床や作業台等の載置面Ｐに沿って包装用箱１００が摺動移動される際に用いられるものである。
【００２５】
図１に示すように、持ち手部５は、ほぼ弓型の切り込み５１と、当該切り込み５１の両端を接続する折り曲げ線５２と、当該切り込み５１により当該折り曲げ線５２で内側へ折り曲げ可能なフラップ部５３とを有する。
【００２６】
上記切り込み５１は例えばミシン目とされるが、連続的な切り込みであってもよい。
【００２７】
上記折り曲げ線５２は、例えばミシン目や罫線（溝）であり、包装用箱１００の摺動移動方向（Ｘ方向）に対して垂直又はほぼ垂直と同一になるように（側面３の上記Ｘ方向（長手方向）における両端辺と平行な方向に）形成されている。
【００２８】
［包装用箱の摺動移動方法］
次に、当該包装用箱１００を摺動移動させる方法について説明する。包装用箱１００には飲料缶等が収容されているものとする。
【００２９】
図３に示すように、作業者はまず、一対の持ち手部５の切り込み５１に沿って両手指でフラップ部５３を押し開け、折り曲げ線５２で内側へ折り曲げる。
【００３０】
そして図４に示すように、作業者は、フラップ部５３の折り曲げによって形成された一対の開口５１ａに両手の指を（第一関節くらいまで）挿入し、フラップ部５３に指が当接した状態で、載置面Ｐ上を同図矢印方向へ摺動移動させる。
【００３１】
この際、作業者の指の折り曲げ線５２部分及びフラップ５３部分への当接方向が摺動移動方向と同一方向となるため、作業者は摺動移動方向への力を容易に加えることができる。
【００３２】
ここで、同図に示すように、持ち手部５は、包装用箱１００に収容された複数の所定形状の収容物Ｃ（飲料缶等）と当該包装用箱１００との間に、フラップ部５３を折り曲げるスペースが生じるような位置に形成されている。
【００３３】
具体的に、本実施形態において、持ち手部５は、隣接する２つの飲料缶の表面と、側面３の内面との間に生じる、概略三角柱状の空間にフラップ部５３が折り曲げ可能な位置に形成されている。例えば飲料缶Ｃが一般的な３５０ｍｌ缶（缶サイズは２１１径（６６ｍｍ））である場合、持ち手部５は、折り曲げ線５２が、側面３の左右端（図１のＸ方向の両端）から６６ｍｍまたはその倍数となる位置に設けられることが好ましい。
【００３４】
これにより、フラップ部５３を確実に包装用箱１００の内部に９０度又は９０度と同一に折り曲げることができ、摺動移動時に作業者の指をフラップ部５３に当接させて摺動方向の力をかけることができる。
【００３５】
また、持ち手部５が、一対の側面３の長手方向の一端側と他端側のそれぞれ設けられることで、作業者は、載置されている包装用箱１００を回り込んだり回転させたりする必要なく、自身に近い方の持ち手部を５適宜用いることで、容易に摺動移動させることができる。
【００３６】
なお図５に示すように、上記持ち手部５は、包装用箱１００を、天面１及び底面２が載置面Ｐに対して垂直又は垂直と同一になるように回転させ、上方（同図矢印方向）へ持ち上げて移動する際にも使用可能である。
【００３７】
以上説明したように、本実施形態によれば、持ち手部５を、持ち手部５の折り曲げ線５２が摺動移動方向に対して垂直又は垂直と同一になるように形成することで、折り曲げ線５２部分に摺動移動方向への力を容易に加えることができ、作業台や床等の載置面Ｐに沿った摺動移動に適した包装用箱１００を提供することができる。
【００３８】
［変形例］
本発明は上述の実施形態にのみ限定されるものではなく、本発明の要旨を逸脱しない範囲内において種々変更され得る。
【００３９】
上述の実施形態において、飲料缶等の収容物が、包装用箱１００に収容された状態で、店舗における販売等のために店舗内の載置面Ｐに展示されてもよい。この場合、例えば天面１が切り取られて開放され、収容物が露出されてもよいし、予め包装用箱１００に天面及びそれに連なる側面の一部の開放のための破断用のミシン目が設けられていてもよい。
【００４０】
図６は、開放のための破断用のミシン目が設けられた包装用箱１００の外観を示す斜視図であり、図７は、図６の包装用箱１００を持ち手部５を用いて摺動移動する様子を示した図である。
【００４１】
図６に示すように、この包装用箱１００には、少なくとも天面１部分（及び側面３ｂの中央上端部分）を開放し包装用箱１００に収容された収容物Ｃを露出させるための破断用のミシン目Ｍが設けられている。この場合持ち手部５は、当該側面３のうち前記ミシン目Ｍにより開放されない位置（例えばミシン目Ｍより下部）に設けられるのが好ましい。
【００４２】
そして図７に示すように、当該ミシン目Ｍにより天面１及び側面３ｂの一部を開放して開口１ａから収容物Ｃを露出させた状態（展示状態）のまま、包装用箱１００を持ち手部５により摺動移動させることができる。
【００４３】
上述の実施形態では、持ち手部５は両側面３ａ及び３ｂに２対、計４つ設けられたが、持ち手５の数はこれに限られず、またその位置も、持ち手部５の数に応じて適宜変更され得る。また持ち手部５の切り込み５１の形状も弓形に限られず、矩形、台形、楕円、かまぼこ形等、様々な形状を取り得る。
【００４４】
上述の実施形態においては、包装用箱１００は直方体形状とされたが、包装用箱１００の形状は直方体形状に限られず、側面が５つ以上形成された多角形柱形状であってもよく、それに応じて持ち手部５の設けられる位置や数も設計され得る。
【符号の説明】
【００４５】
１…天面
１ａ…開口
２…底面
３…側面
４…フラップ
５…持ち手部
６…糊代部
５１…切り込み
５１ａ…開口
５２…折り曲げ線
５３…フラップ部
１００…包装用箱
Ｐ…載置面
Ｃ…収容物（飲料缶）
【図１】
0003234344.tif 000003
【図２】
0003234344.tif 000004
【図３】
0003234344.tif 000005
【図４】
0003234344.tif 000006
【図５】
0003234344.tif 000007
【図６】
0003234344.tif 000008
【図７】
0003234344.tif 000009